(57)【要約】      （修正有）【課題】床面に設置されるマットがずれ動いたり、めくれや膨らみ、よれ等を起こすのを防止し、また交換式のマットを簡単に床面に固定できるとともに、交換のための取り外しも容易であり、取り外したときに床面およびマット裏側の接着痕などの汚染も生じないマット固定具および磁気吸着シート付きマットを提供する。【解決手段】このマット固定具はマット本体の裏面に取り付けられ、下面に磁気吸着面を備えた磁気吸着シート５と、床面に設置され、この磁気吸着シート５と磁気吸着する着磁ベースシート７とを有している。また、マット１はマット本体の裏面に磁気吸着シート５が取り付けられ、床面上の着磁ベースシート７に磁気吸着によって安定に保持される。【選択図】図１
2020065781.tif 000002
【特許請求の範囲】
【請求項１】
マット本体の裏面に取り付けられ、少なくとも下面に磁気吸着面を備えた磁気吸着シートと、床面に設置され、前記磁気吸着シートと磁気吸着する着磁ベースシートとを有することを特徴とするマット固定具。
【請求項２】
前記磁気吸着シートは前記着磁ベースシートに吸着される磁性シートであることを特徴とする請求項１に記載したマット固定具。
【請求項３】
前記磁気吸着シートおよび前記着磁ベースシートはそれぞれシート面に沿って複数のＳ，Ｎの磁極が配列されていることを特徴とする請求項１又は２に記載したマット固定具。
【請求項４】
マット本体の裏面に磁気吸着シートが取り付けられていることを特徴とする磁気吸着シート付きマット。
【請求項５】
前記磁気吸着シートは磁性シートであることを特徴とする請求項４に記載した磁気吸着シート付きマット。
【請求項６】
前記磁気吸着シートは床面に対峙する下面に面方向に沿って複数のＳ，Ｎの磁極が配列されていることを特徴とする請求項４又は５に記載した磁気吸着シート付きマット。
【発明の詳細な説明】
【技術分野】
【０００１】
本発明は、床面に設置されるマットを床面に安定に保持するマット固定具および磁気吸着シート付きマットに関する。
【背景技術】
【０００２】
例えば集合住宅の玄関の床面に設置される玄関マットやオフィスビルの通路床面等に設置されるマットは、清掃等のために床面に対して脱着可能に設置されるのが普通であり、従来は剥離可能な接着剤を用いてマットを床面に接着するか、あるいは前記マットの下面（裏面）の一部に両面テープを貼り付けて床面に接着している。そのほかマットと床面との間にゴム片などを挟んで滑り止めを行う場合もある。
【０００３】
床面に設置されるマットのめくれやずれ動きを防止する対策として、パイル糸の基布とゴムシートを貼り合せた玄関マット及び固定用テープが開示されている（例えば特許文献１）。これは、マットのゴムシート側の下面に帯状のテープ貼着部を形成し、このテープ貼着部に固定用両面テープを貼り付け、この両面テープのゴムシート側粘着面の粘着力を床面側粘着面の粘着力よりも大とすることにより、マット全体を床面に対して剥離できるようにしたものである。
【０００４】
また、特許文献２の特開２０１１−１０１７８６号に係る固定用シート付きマットは、マット下面（裏面）にフック状または輪状に編成した小形のパイル領域（面ファスナー等）を形成し、このパイル領域に対応する幅サイズのシート状固定片のマット側表面（上面）に凹凸係合素子（面ファスナー等）を形成して該固定片を前記パイル領域と接合可能とし、前記固定片の床面側表面（下面、裏面）にゲル状粘着物を着設することで、前記固定片を床面に対して着脱自在としている。
【先行技術文献】
【特許文献】
【０００５】
【特許文献１】特開平１１−２９０１９５号公報
【特許文献２】特開２０１１−１０１７８６号公報
【発明の概要】
【発明が解決しようとする課題】
【０００６】
例えばリノリウム等の床面に載置した交換式の玄関マットは、その上を人が通る際にマットがめくれたり、ずれ動いたりするのを防止するため、前記マットと床面との間に両面テープやゴムシートを介在させる等の対策をとっているが、オフィスビルの通路や工場の入口等、重い荷物を載せた台車の往来がある場所では、両面粘着テープやゴム片の滑り止めを施しても台車の車輪の摩擦でマットが部分的によれたり、めくれたりすることがある。また、前記マットのずれ動きを防止するために両面テープの粘着力を強くすると、前記マットの取り外しの際に床面にテープの粘着剤が残ってしまう。また、前記マットの取り外しにも大きな力を要する等の問題があった。
【０００７】
本発明は、床面に設置されるマットがずれ動いたり、めくれや膨らみ、よれ等を起こすのを防止するマット固定具および磁気吸着シート付きマットを提供することを目的とする。
【０００８】
本発明はまた、交換式のマットを簡単に床面に固定できるとともに、交換のための取り外しも容易であり、かつ、取り外したときに床面およびマット裏側の接着剤等による汚染も生じないマット固定具おび磁気吸着シート付きマットを提供することを目的とする。
【課題を解決するための手段】
【０００９】
本発明によれば、マット本体の裏面に取り付けられ、下面に磁気吸着面を備えた磁気吸着シートと、床面に設置され、前記磁気吸着シートと磁気吸着する着磁ベースシートとを有することを特徴とするマット固定具が提供される。
【００１０】
本発明のひとつの形態によれば、前記磁気吸着シートは前記着磁ベースシートに吸着される磁性シートであることを特徴とする。
【００１１】
本発明の他の形態によれば、前記磁気吸着シートおよび前記着磁ベースシートはそれぞれシート面に沿って複数のＳ，Ｎの磁極が配列されていることを特徴とする。
【００１２】
また本発明によれば、マット本体の裏面に磁気吸着シートが取り付けられていることを特徴とする磁気吸着シート付きマットが提供される。
【００１３】
本発明に係る磁気吸着シート付きマットのひとつの形態によれば、前記磁気吸着シートは磁性シートであることを特徴とする。
【００１４】
本発明に係る磁気吸着シート付きマットの他の形態によれば、前記磁気吸着シートは床面に対峙する下面に面方向に沿って複数のＳ，Ｎの磁極が配列されていることを特徴とする。
【発明の効果】
【００１５】
本発明に係るマット固定具によれば、家屋の玄関入口、オフィスビルや工場内の通路の床面に設置される交換式のマットのずれやめくれ、マット中途部の膨れ、よれ等を防止でき、また、マットの交換に際して前記マットを取り外したときにも、従来のような接着剤の付着による汚れ（接着痕）が生じない。また、マットの取り付け、取り外しも容易である。
【図面の簡単な説明】
【００１６】
【図１】本発明の実施例に係るマット固定具を示す平面図であって、同図（Ａ）はマットの下面（裏面）を示す図、同図（Ｂ）は着磁ベースシートの上面（表面）を示す図である。
【図２】本発明の実施例に係るマット固定具および磁気吸着シート付きマットの分解断面図である。
【図３】図２のＢ−Ｂ線に沿ったマット固定具および磁気吸着シート付きマットの分解断面図である。
【図４】本発明の他の実施例に係る磁気吸着シート付きマットの下面を示す図である。
【図５】本発明の他の実施例に係るマット固定具を示す平面図であって、図（Ｃ）はマットの下面（裏面）を示す図、同図（Ｄ）は着磁ベースシートの上面（表面）を示す図である。
【図６】本発明の他の実施例に係るマット固定具を示す平面図であって、図（Ｃ）はマットの下面（裏面）を示す図、同図（Ｄ−２）は着磁ベースシートの上面（表面）を示す図である。
【図７】本発明の他の実施例に係るマット固定具を示す平面図であって、図（Ｅ）はマットの下面（裏面）を示す図、同図（Ｆ）は着磁ベースシートの上面（表面）を示す図である。
【図８】本発明のマット固定具に係る着磁方向と磁気吸着力の相関関係を示した図表である。
【発明を実施するための形態】
【００１７】
（実施例１）
次に、本発明を実施例について図面を参照して説明する。
図１〜図３を参照すれば、実施例に係る磁気吸着シート付きマット１は図１（Ａ）にその裏面が示され、マット本体２は例えばゴムシートあるいは塩化ビニール等の合成樹脂シートの上面に周知の繊維部分３（図２，図３）を植設した一般的な構造のものである。なお、このマット本体２の材質、形状自体は本発明に必須の構成ではなく、他の形態のマットであってもよい。図１（Ｂ）には本発明の実施例にかかる着磁ベースシート７が示され、着磁ベースシート７上にマット本体２の裏面が当接するようにマット本体２が載置されることにより、マット本体２が固定される構造になっている。
【００１８】
マット本体１裏面２ａには磁気吸着シート５が貼着されているが、この磁気吸着シート５は磁化された着磁シートで構成されている。図示の実施例では、磁気吸着シート５は所定の横巾をもつ帯状の着磁シートで構成され、この帯状着磁シートがマット本体２の裏面左右に取り付けられている。なお、この場合の取付手段は例えば面ファスナーによる脱着可能な接合手段、あるいは接着剤による接着、その他任意の取り付け手段が採用可能である。
【００１９】
この実施例の磁化された磁気吸着シート５は合成樹脂中にフェライト粉体等の磁性粉とバインダーを混合して練成し、帯状に固化したシート構造を有しており、後述する床面６上の着磁ベースシート７に対峙する磁気吸着シート５の下面５ａに帯状の面方向に沿って複数のＳ，Ｎ，Ｓ，Ｎ…の磁極が配列されるように磁化されている。なお，マット本体２とこの磁気吸着シート５を面ファスナー８で接合する場合は磁気吸着シートの上面に接着剤を介して面ファスナーが接着される。９はマット本体２の下面に設けた面ファスナーである。
【００２０】
床面６に設置される着磁ベースシート７は図１（Ｂ）にその上面が模式的に示されている。図示のように、着磁ベースシート７の上面７ａには、着磁された磁気吸着シート５の磁極配列方向と同方向（Ｙ軸方向）にシート面に沿って複数のＮ，Ｓ，Ｎ，Ｓ…の磁極が交互に繰り返し配列されている。また、これに直交する方向（Ｘ軸方向）は、同極の連続であり、多条の着磁形態となっている。
【００２１】
着磁ベースシート７の材質は、この実施例では磁気吸着シート５と同様に、合成樹脂中にフェライト粉体等とバインダーを混合して練成し、固化したシート構造とし、磁気吸着シート５に対応するように、磁極配列方向と同方向（Ｙ軸方向）にシート面に沿って複数のＮ，Ｓ，Ｎ，Ｓ…の磁極が交互に繰り返しシート全面に亘り着磁されている。
【００２２】
着磁ベースシート７はマットの設置される床面６に配置されるが、その場合、例えば絨緞敷きの床面のように、床面の状況あるいは形態によっては接着剤等を介さずに直接着磁ベースシート７を床面に設置してもよく、またリノリウムのような床面の場合には、適切な接着剤１０を介して着磁ベースシート７を床面６に設置してもよい。なお、図２の状態はマット本体２と磁気吸着シート５，着磁ベースシート７を組み合せた状態で帯状磁気吸着シート５の長さ方向に沿って（即ち図１（Ａ）のＡ方向）に沿って断面したものである。
【００２３】
本発明の磁気吸着シート付きマット１は着磁ベースシート７を、マットを敷く床面６に設置し、裏面に磁気吸着シート５を固着したマット１を床面６上の着磁ベースシート７上に載せるだけでマット裏面の磁気吸着シート５と床面６上の着磁ベースシート７が磁気吸着し、マット上を台車等が往来してもマット１がずれ動いたり、めくれたりすることがない。マットの清掃のためにマットを取り外す場合にも着磁ベースシート７から簡単にマット１をはぎ取ることができ、従来のように接着剤の付着痕が残ることはない。
【００２４】
（実施例２）
本発明の他の実施例を図４に示す。図４に磁気吸着シート付きマット１１の裏面を示す。磁気吸着シート付きマット１１は、マット本体２の裏面２ａには磁気吸着シート５１、５２が貼着されているが、この磁気吸着シート５１、５２は着磁シートで構成されている。図示の実施例では、磁気吸着シート５は所定の横巾をもつ片状の着磁シート５１、所定の横巾をもつ片状の着磁シート５２で構成され、片状の着磁シート５１がマット本体２の裏面２ａの四隅に、帯状着磁シート５２がマット本体２の中央位置に取り付けられている。なお、この場合の取り付け手段は例えば面ファスナーによる脱着可能な接合手段、あるいは接着剤による接着、その他任意の取り付け手段が採用可能である。尚、図４において着磁ベースシートの記載は省略したが、磁気吸着シート付きマット１１が固定される着磁ベースシートの一例としては実施例１に示す着磁ベースシート７が利用できる。
【００２５】
（実施例３）
図５に示す磁気吸着シート付きマット１２は図５（Ｃ）にその裏面が示され、マット本体２は例えばゴムシートあるいは塩化ビニール等の合成樹脂シートの上面に周知の繊維部分３を植設した一般的な構造のものである。なお、このマット本体２の材質、形状自体は本発明に必須の構成ではなく、他の形態のマットであってもよい。図５（Ｄ）には本発明の実施例にかかる着磁ベースシート７１が示され、着磁ベースシート７１上にマット本体２の裏面が当接するようにマット本体２が載置されることにより、マット本体２が固定される構造になっている。
【００２６】
マット本体１２裏面には磁気吸着シート５３が貼着されているが、この磁気吸着シート５３は磁化された着磁シートで構成されている。図示の実施例では、磁気吸着シート３は所定の巾をもつ帯状の着磁シートで構成され、この帯状着磁シートがマット本体２の裏面上下、左右の縁部に取り付けられている。なお、この場合の取り付け手段は例えば面ファスナーによる脱着可能な接合手段、あるいは接着剤による接着、その他任意の取り付け手段が採用可能である。
【００２７】
着磁ベースシート７１の材質は、この実施例では磁気吸着シート５と同様に、合成樹脂中にフェライト粉体等とバインダーを混合して練成し、固化したシート構造とし、着磁ベースシート７１のマット本体１２の磁気吸着シート５３が取り付けられている位置に対応する位置に、裏面上下、左右の縁部に沿って、磁極配列方向と同方向（Ｙ軸方向）にシート面に沿って複数のＮ，Ｓ，Ｎ，Ｓ…の磁極が交互に繰り返し着磁されている部分７１ｂ、Ｘ軸方向に複数のＮ，Ｓ，Ｎ，Ｓ…の磁極が交互に繰り返し着磁されている部分７１ａが形成されている。このように一枚のシートに複数方向の着磁を行う場合には、シートを切り出した後に着磁を行い、着磁ベースシート７１を形成する。このように着磁の方向をシート全面の中で互いに直交する方向に着磁することにより、磁気吸着シート５３と着磁ベースシート７１が磁気吸着して横ずれを防止し、横ずれの抵抗力において多条着磁の同極方向（Ｘ軸方向）にずらす時と異なり、異極方向（Ｙ軸方向）にずらす時は同極方向にずらす時と比して抵抗力が大きくなり、Ｘ軸方向、Ｙ軸方向双方にたいするズレ抵抗がバランスよくいずれの方向にも磁気吸着シート５がずれにくくなる。
【００２８】
（実施例４）
図６に示す磁気吸着シート付きマット１２は図５(Ｃ)に示すものと構造が同一であるためその説明を省略する。図６（Ｄ−２）には本発明の実施例にかかる着磁ベースシート７２が示され、着磁ベースシート７２上にマット本体２の裏面が当接するようにマット本体２が載置されることにより、マット本体２が固定される構造になっている。
【００２９】
着磁ベースシート７２の材質は、この実施例では磁気吸着シート５と同様に、合成樹脂中にフェライト粉体等とバインダーを混合して練成し、固化したシート構造とし、Ｘ軸方向に複数のＮ，Ｓ，Ｎ，Ｓ…の磁極が交互に繰り返しシート全面に着磁されている。また、着磁ベースシート７２のマット本体１２の磁気吸着シート５３が取り付けられている位置に対応する位置に、裏面上下、縁部に沿って、Ｙ軸方向にシート面に沿って複数のＮ，Ｓ，Ｎ，Ｓ…の磁極が交互に繰り返し着磁されているシート７２ｂが貼着されている。このように全面に亘り着磁がなされた一枚のシートにこれに対向する方向に着磁されたシートを貼着することでシートを切り出した後に着磁を行うという工程を簡略化することができる。尚、シート７２ｂを貼着する部分の着磁ベースシートに凹部を形成し面一となるように加工してもよい。このように着磁の方向をシート全面の中で互いに直交する方向に着磁することにより、磁気吸着シート５３と着磁ベースシート７１が磁気吸着して横ずれを防止し、横ずれの抵抗力において多条着磁の同極方向（Ｘ軸方向）にずらす時と異なり、異極方向（Ｙ軸方向）にずらす時は同極方向にずらす時と比して抵抗力が大きくなり、Ｘ軸方向、Ｙ軸方向双方にたいするズレ抵抗がバランスよくいずれの方向にも磁気吸着シート５がずれにくくなる。
【００３０】
（実施例５）
図７に示す磁気吸着シート付きマット１３は図７（Ｅ）にその裏面が示され、マット本体２は例えばゴムシートあるいは塩化ビニール等の合成樹脂シートの上面に周知の繊維部分３を植設した一般的な構造のものである。マット本体２裏面には全面に亘り着磁されたシートが貼着されている。図７（Ｆ）に示す着磁ベースシートは図１に示す着磁ベースシート７でありその説明を省略する。着磁の極性は着磁ベースシート７に対向したとき、磁気吸着シートの極性はすべて反対極に吸着する。
【００３１】
尚、これらの実施例１〜５では、磁気吸着シートも着磁した磁性シートで形成することを示したが、着磁ベースシートに磁着する素材であればよく、磁化された着磁シートに替えて磁化されていない磁性シート、金属シート等を取り付けてもよい
【００３２】
図８に示す図表に着磁線方向の違いによるマグネットとマグネットまたはソフト材(着磁していない磁性シート)を吸着させたサンプルのせん断荷重測定結果を示す。
【００３３】
最左に示す図表は25mm×25mmの着磁ベースシート(床側)と磁気吸着シート（マット側）に対して同方向に多条着磁し同方向にずらす場合のせん断荷重測定結果である。着磁ベースシート(床側)厚さ(t)、着磁ピッチ(p)に対する、磁気吸着シート（マット側）の厚さ(t)、着磁ピッチ（ｐ）、ソフト材においては非着磁のピーク荷重を示している。
【００３４】
中央に示す図表は25mm×25mmの着磁ベースシート(床側)と磁気吸着シート（マット側）に対して同方向に多条着磁し着磁と直交する方向にずらす場合のせん断荷重測定結果である。着磁ベースシート(床側)厚さ(t)、着磁ピッチ(p)に対する、磁気吸着シート（マット側）の厚さ(t)、着磁ピッチ（ｐ）、ソフト材においては非着磁のピーク荷重を示している。
【００３５】
最右に示す図表は25mm×25mmの着磁ベースシート(床側)と磁気吸着シート（マット側）に対して格子状に多条着磁し一方向にずらす場合のせん断荷重測定結果である。着磁ベースシート(床側)厚さ(t)、着磁ピッチ(p)に対する、磁気吸着シート（マット側）の厚さ(t)、着磁ピッチ（ｐ）、ソフト材においては非着磁のピーク荷重を示している。
【００３６】
本発明に係るマット固定具によれば、家屋の玄関入口、オフィスビルや工場内の通路の床面に設置される交換式のマットのずれやめくれ、マット中途部の膨れ、よれ等を防止でき、また、マットの交換に際して前記マットを取り外したときにも、従来のような接着剤の付着による汚れ（接着痕）が生じない。また、マットの取り付け、取り外しも容易である。また上記実験結果に示すように、磁気吸着シートと着磁ベースシートに直交する方向等異なる方向の着磁箇所を設けることによりマット本体と着磁ベースシートのずれを更に防止することができる。
【符号の説明】
【００３７】
１  磁気吸着シート付きマット
１１磁気吸着シート付きマット
１２磁気吸着シート付きマット
１３磁気吸着シート付きマット
２  マット本体
３  マットの繊維部分
５  磁気吸着シート
５１  磁気吸着シート
５２  磁気吸着シート
５３
６  床面
７  着磁ベースシート
７１着磁ベースシート
７２着磁ベースシート
７３着磁ベースシート
８，９  面ファスナー
１０  接着剤
【図１】
2020065781.tif 000003
【図２】
2020065781.tif 000004
【図３】
2020065781.tif 000005
【図４】
2020065781.tif 000006
【図５】
2020065781.tif 000007
【図６】
2020065781.tif 000008
【図７】
2020065781.tif 000009
【図８】
2020065781.tif 000010